(57)【要約】【課題】夜間等においてもその位置・状態を容易に認識でき、操作し易い烏賊釣用の仕掛け、及びその仕掛用の部材を提供する。【解決手段】この部材は、ヤエンと呼ばれる烏賊釣用の仕掛けに装着するものである。この部材１０は、ヤエンの線材１に平行して伸び枝部２方向に開口した発光体収納空間を有している本体部１１と、本体部１１に設けられ線材１を挟持する第１挟持部１２と、本体部１１の発光体収納空間の底側に設けられ中間枝部３を挟持する第２挟持部１３とを備える。【選択図】　　　図３
2004129592.tif 000002
【特許請求の範囲】
【請求項１】
線材と、
前記線材の一端側端部より起立し頭端に釣糸係止部を有する枝部と、
前記線材の長さ方向の途中より起立し頭端に釣糸係止部を有する中間枝部と、
前記線材の他端側に装着される釣針と、
前記線材上に配置され、前記線材の一端側方向に向かって開口した発光体収納空間を有している発光体保持部と
を備えた烏賊釣用仕掛け。
【請求項２】
前記発光体保持部は前記線材と前記中間枝部との連結部分付近に配置され、前記線材を挟持する第１挟持部と、前記中間枝部を挟持する第２挟持部とを有している、請求項１に記載の烏賊釣用仕掛け。
【請求項３】
前記発光体保持体は、前記線材に平行して配置され前記一端側方向に開口した発光体収納空間を有する底付円筒型の本体部を有し、前記本体部は前記開口周縁に径外方向に広がるフランジを有している、請求項２に記載の烏賊釣用仕掛け。
【請求項４】
前記線材と前記枝部との連結部分に配置される錘をさらに備え、前記錘は前記一端側方向に開口した発光体収納空間を有する円筒型部材であり、前記錘が発光体保持部である、請求項１に記載の烏賊釣用仕掛け。
【請求項５】
線材と、前記線材の一端側端部より起立し頭端に釣糸係止部を有する枝部と、前記線材の長さ方向の途中より起立し頭端に釣糸係止部を有する中間枝部と、前記線材の他端側に装着される釣針とを有する烏賊釣り用仕掛けに用いる部材であって、
前記線材に平行して伸び前記枝部方向に開口した発光体収納空間を有している本体部と、前記本体部に設けられ前記線材を挟持する第１挟持部と、前記本体部の前記発光体収納空間の底側に設けられ前記中間枝部を挟持する第２挟持部とを備える仕掛け用部材。
【請求項６】
線材と、前記線材の一端側端部より起立し頭端に釣糸係止部を有する枝部と、前記線材の長さ方向の途中より起立し頭端に釣糸係止部を有する中間枝部と、前記線材と枝部との連結部分に配置される錘と、前記線材の他端側に装着される釣針とを有する烏賊釣り用仕掛けに用いる部材であって、
前記線材に平行して伸び前記枝部方向に開口した発光体収納空間を有している本体部と、前記本体部に設けられ前記枝部を挟持する第１挟持部と、前記本体部に設けられ前記錘を挟持する第２挟持部とを有している、仕掛け用部材。
【請求項７】
前記本体部の発光体収納空間内に発光体が配置されている、請求項５または６に記載の仕掛け用部材。
【発明の詳細な説明】
【０００１】
【発明の属する技術分野】
本発明は、烏賊釣りの際に用いる仕掛けに関する。
【０００２】
【従来の技術】
烏賊釣りの中には、鰺などの小魚を生き餌として用いる方法がある。この釣り方法は、釣糸の先端に鰺などを結びつけて海中を泳動させておき、烏賊がこの鰺に抱き付いた後に「ヤエン」と呼ばれる烏賊釣用仕掛けを釣糸に引掛けて水中に投じ、烏賊を釣り上げる方法である。
【０００３】
この仕掛けは、金属製の線材と、その一端及び中間部分から延びる枝と、線材の他端に配置される釣針とを有する。そして、枝の端部の釣糸係止部に釣糸を係止して釣糸上を滑らせて、この仕掛けは水中に投じられる（例えば、特許文献１，特許文献２等参照）。
【０００４】
【特許文献１】
特開２０００−２０１６０４号公報（図２）
【０００５】
【特許文献２】
特開２０００−３４２１４０号公報（図１，図２）
【０００６】
【発明が解決使用とする課題】
烏賊は夜行性であるので、海面が暗くなってから釣りを行う場合も多い。しかし、上述のような仕掛けを釣糸上で滑らせて海中に投じる際に、夜間などにあっては、上手く仕掛けが水中に投ぜられているかを釣人が認識し難い。
本発明の課題は、夜間等においてもその位置・状態を容易に認識でき、操作し易い烏賊釣用の仕掛け、及びその仕掛け用の部材を提供することにある。
【０００７】
【課題を解決するための手段】
発明１の烏賊釣用仕掛けは、線材と、線材の一端側端部より起立し頭端に釣糸係止部を有する枝部と、線材の長さ方向の途中より起立し頭端に釣糸係止部を有する中間枝部と、線材の他端側に装着される釣針と、線材上に配置され、線材の一端側方向に向かって開口した発光体収納空間を有している発光体保持部とを備える。
【０００８】
夜間に烏賊釣りを行うような場合にあっては、釣人はこの仕掛けの発光体保持部の発光体収納空間にケミホタル等の発光体を差し込んで、この烏賊釣用仕掛けを用いる。この仕掛けは、釣針側を海中にいる烏賊に向け線材の枝部側を釣人側に向けて用いる。そして、この発光体収納空間は釣人側（線材の一端側）に開口しており、この空間内で発光する発光体からの光は釣人側に向けられ、烏賊に警戒心を与えること無く釣人に仕掛けの位置・状態を知らしめる。
【０００９】
発明２の仕掛けは、発明１の烏賊釣用仕掛けであって、発光体保持部は線材と中間枝部との連結部分付近に配置されており、線材を挟持する第１挟持部と、中間枝部を挟持する第２挟持部とを有している。
この発光体保持体は線材を挟持すると共に中間枝部を挟持しており、周方向への回動が規制されると共に、軸方向への移動も規制され、安定した状態で線材・中間枝部に固定されている。
【００１０】
発明３の仕掛けは、発明１の烏賊釣用仕掛けであって、発光体保持体は、線材に平行して配置され一端側方向に開口した発光体収納空間を有する底付円筒型の本体部を有し、本体部は開口周縁に径外方向に広がるフランジを有している。
この仕掛けでは、発光体収納空間の開口周縁のフランジが、収納空間内の発光体からの光が釣針側に漏れるのを抑えている。鰺などに抱き付いている烏賊に警戒心を生じせしめることがない。
【００１１】
発明４の仕掛けは、発明１の烏賊釣用仕掛けであって、線材と枝部との連結部分に配置される錘をさらに備えている。そして、この錘は一端側方向に開口した発光体収納空間を有する円筒型部材であり、この錘が発光体保持部である。
この仕掛けでは、線材と枝部との連結部分に配置される錘が仕掛け全体のバランスを採っている。そして、その錘が円筒型であり、発光体収納空間内にケミホタルなどの発光体を収納する。
【００１２】
発明５の部材は、線材と、線材の一端側端部より起立し頭端に釣糸係止部を有する枝部と、線材の長さ方向の途中より起立し頭端に釣糸係止部を有する中間枝部と、線材の他端側に装着される釣針とを有する烏賊釣り用仕掛けに用いる部材である。そして、この部材は、線材に平行して伸び枝部方向に開口した発光体収納空間を有している本体部と、本体部に設けられ線材を挟持する第１挟持部と、本体部の発光体収納空間の底側に設けられ中間枝部を挟持する第２挟持部とを備えている。
【００１３】
一般に市販されている烏賊釣り用仕掛けを夜間に用いる場合には、この部材の第１・第２挟持部をそれぞれ仕掛けの線材・中間枝部に挟持させて取り付け、発光体を発光体収納空間に収納して、烏賊釣りを行う。
発明６の部材は、線材と、線材の一端側端部より起立し頭端に釣糸係止部を有する枝部と、線材の長さ方向の途中より起立し頭端に釣糸係止部を有する中間枝部と、線材と枝部との連結部分に配置される錘と、線材の他端側に装着される釣針とを有する烏賊釣り用仕掛けに用いる部材である。そして、この部材は、線材に平行して伸び枝部方向に開口した発光体収納空間を有している本体部と、本体部に設けられ枝部を挟持する第１挟持部と、本体部に設けられ錘を挟持する第２挟持部とを有している。
【００１４】
この仕掛け用部材にあっても、一般に市販されている烏賊釣り用仕掛けを夜間に用いる場合には、この部材の第１・第２挟持部をそれぞれ仕掛けの枝部・錘に挟持させて取り付け、発光体を発光体収納空間に収納して、烏賊釣りを行う。発光体がより枝部側、即ち、烏賊から離れた位置に装着され、烏賊に不要な警戒心を与えにくい。
【００１５】
発明７の部材は、発明５または６の仕掛け用部材であり、本体部の発光体収納空間内に発光体が配置されている。
この部材には、仕掛け用部材として既に発光体が収納されており、この部材を烏賊釣用仕掛けに装着して直ちに用いることができる。
【００１６】
【発明の実施の形態】
［第１実施形態］
以下、図面を参照しつつ、本発明の第１実施形態について説明する。
まず、「ヤエン」と呼ばれる烏賊釣り用の仕掛けについて概説する。
この仕掛けは、図１に示すように、線材１と、線材１の一端側端部より起立した枝部２と、線材１の長さ方向の途中より起立した中間枝部３とからなる。これらの線材１〜中間枝部３は、スチール・チタン等若しくはステンレス合金等から形成される金属細線からなり、一本の線材を折り曲げ若しくは複数の線材を溶接等することで構成されている。また、枝部２及び中間枝部３は線材１に対して直交する方向に平行して配列されており、その頭端はそれぞれリング状に折り曲げられ釣糸係止２ａ，３ａとなっている。リング状に折り曲げられた金属細線の隙間から釣糸をリング内に滑り込ませ得る。
【００１７】
また、この仕掛けの線材１と枝部２との連結部分には仕掛け長手方向バランスを整えるための錘４が装着されており、一方、線材１の他端側には複数の釣針５が装着されている。この錘４は略小判型であり必要に応じて比重の大きな金属材などを用いて形成する。釣針５は線材１上にその長手方向に間隔を隔てて複数箇所に設ける。
【００１８】
このような仕掛けに、図２及び図３に示すような、仕掛け用部材１０を必要に応じて装着する。
この仕掛け用部材１０は、線材１に平行して伸び一方向に開口する底付きの略円筒型本体部１１と、本体部１１の側面に設けられた第１挟持部１２と、本体部１１の底側に設けられた第２挟持部１３とを有している。
【００１９】
本体部１１は、硬質合成樹脂若しくは金属から形成され、円筒の内部をケミホタルなどの発光体を収納するための収納空間としている。円筒の内周面には収納する発光体を十分に保持するための突起等を形成しておいてもよい。第１挟持部１２は、本体部１１の周面からその径方向に伸びつつ本体部１１の長手方向に一定の長さを有する板状の部分である。径方向に伸びる一辺上に細線を収納し挟持可能な凹部分が形成されている。そして、上述の仕掛けの線材１をこの凹部分に脱着自在に挟み込むことができる。一方、第２挟持部１３は、本体部１１の底面側に前述の第１挟持部１２に直交する方向に伸びるように形成されている。第１挟持部１２と同様に細線を挟持可能な凹部分が形成されている。そして、上述の仕掛けの中間枝部３をこの凹部分に脱着自在に挟む込むことができる。
【００２０】
夜間に烏賊釣りを行うような場合にあっては、釣人は上述のようなヤエンと呼ばれる仕掛けに、仕掛け用部材１０を装着して釣りを行う。即ち、釣糸の先端に連結した鰺などの生き餌に烏賊が抱き付いた際に、仕掛け用部材１０の本体部１１に発光させたケミホタル等の発光体Ｐを挿入して収納し、第１挟持部１２に線材１を挟み込み、第２挟持部１３に中間枝部３を挟み込む。こうして、線材１と中間枝部３との連結部分付近に、仕掛け用部材１０をその本体部１１の開口を枝部２側に向けて固定する。そして、図４に示すように、枝部２，中間枝部３の釣針係止部２ａ，３ａを水中に向かって釣竿から斜めに落ち込んでいる釣糸Ｌに引っ掛けて、釣針５側から水中に仕掛けを投じる。
【００２１】
そして、仕掛け用部材１０の本体部１１内で発光する発光体Ｐからの光は釣人側に向けられ、烏賊に警戒心を与えること無く、釣人に仕掛けの位置・状態を知らしめる。
［第２実施形態］
図５に、別の仕掛け用部材２０を示す。
【００２２】
この仕掛け用部材２０は、左右半割の箱形の本体部２１を有する。この本体部２１は左右半割部材が一面に設けられたヒンジ２１ａを介して連結されたものであり、他面側に係止用フック２２が設けられている。
この本体部２１を構成する半割部材の貼り合わせ面には、長手方向（図５の左右方向）に伸びつつ半円型に凹入する発光体収納部２３が形成されている。この発光体収納部２３は一側面に連通している。さらに、本体部２１を構成する半割部材の貼り合わせ面には、長手方向に貫通する第１凹部２４及び縦方向に貫通する第２凹部２５が形成されている。第１凹部２４は発光体収納部２３のヒンジ２１ａ側に並んで長手方向に貫通している。烏賊釣用仕掛けの線材１を収納した状態で、左右の半割部材を噛み合わせることで本体部２１が第１凹部２４に線材１を挟持する。一方、第２凹部２５は第１凹部２４に直交するように第１凹部２４から係止用フック２２側に向かって延びて当該方向に連通している。烏賊釣り用仕掛けの中間枝部３を収納した状態で、左右の半割部材を噛み合わせることで本体部２１が第２凹部２５に中間枝部３を挟持することになる。
【００２３】
この仕掛け用部材２０も、第１実施形態と同様に用いられる。
即ち、夜間に烏賊釣りを行うような場合にあっては、仕掛け用部材２０を仕掛けに以下のようにして装着する。まず、仕掛け用部材２０の本体部２１の半割部材を開き、発光体収納部２３に発光させたケミホタル等の発光体Ｐを配置し、第１凹部２３に線材１を、第２凹部２４に中間枝部３を配置した上で、半割部材を閉じて本体部２１を仕掛けに固定する。そして、上記第１実施形態と同様に、枝部２，中間枝部３の釣針係止部２ａ，３ａを水中に向かって釣竿から斜めに落ち込んでいる釣糸Ｌに引っ掛けて、釣針５側から水中に仕掛けを投じる。
【００２４】
［第３実施形態］
図６及び図７に、さらに別の仕掛け用部材３０を示す。
この仕掛け用部材３０は、線材１に平行して伸び一方向に開口する底付きの略円筒型本体部３１と、本体部３１の底面に設けられた第１挟持部３２と、第１挟持部３２の下面側に一体的に形成される第２挟持部３３とを有している。
【００２５】
本体部３１は、上述の第１実施形態と同種であり、硬質合成樹脂若しくは金属から形成され、円筒の内部をケミホタルなどの発光体を収納するための収納空間としている。第１挟持部３２は、本体部３１の底面側に本体部３１に直交する方向に伸びるように形成されている。そして、細線を挟持可能な凹部分が形成されており、上述の仕掛けの枝部２をこの凹部分に脱着自在に挟む込むことができる。第２挟持部３３は半円筒状の部分である。本体部３１と同じく線材１に平行する方向に伸び、左右から錘４を挟むように下面側に開いている。また、第１挟持部３２に挟む込む枝部２の邪魔にならないように第１挟持部３２の凹部分に連なる割りも形成されている。
【００２６】
この仕掛け用部材２０も、第１実施形態と同様に用いられる。特に、第１実施形態に比較して発光体Ｐがより釣人側に位置し、烏賊から遠ざかるので、烏賊に不要な警戒心を与えることも少ない。
［第４実施形態］
図８に示すように、烏賊釣用仕掛けに発光体保持部４０を一体化させてもよい。この烏賊釣用仕掛けでは、発光体保持部４０が中間枝部３の線材１との連結部付近に固定されている。
【００２７】
発光体保持部４０は、線材１に平行して中間枝部３から枝部２側に延び、枝部２側に向かって開口した底付きの略円筒型の本体部４１と、本体部４１の底側に設けられた挟持部４２とを有している。本体部４１は円筒の内部をケミホタルなどの発光体Ｐを収納するための収納空間としている。そして、その開口の周縁には、径外方向に張り出したフランジ４３が設けられている。
【００２８】
［他の実施形態］
（ａ）上述の各仕掛け用部材の本体部の発光体収納部に既に発光体が収納されたタイプのものを提供してもよい。烏賊が仕掛けに係った際に、直ちに部材を装着して用い得る。
（ｂ）図９に示すような、発光体保持部５０を烏賊釣用仕掛けに一体化させたものも例示できる。
【００２９】
この発光体保持部５０は、仕掛けの錘と一体化したものである。即ち、仕掛けの枝部２と線材１との連結部分に配置されている錘が一端側方向に開口した発光体収納空間を有する円筒型部材となっており、この錘が発光体保持部５０となっている。この発光体保持部５０にも上記第４実施形態と同様にフランジを形成してもよい。釣人はこの発光体保持部５０の発光体収納空間内に発光体Ｐを差し込んで固定する。この場合、烏賊釣用仕掛け「ヤエン」全体の重量バランスを考慮すると、錘たる発光体保持部５０は比較的軽量化させる必要が生じる。
【００３０】
【発明の効果】
本発明に係る仕掛け若しくはその仕掛け用部材によれば、夜間等においてもその位置・状態を容易に認識でき、烏賊釣りを容易に為し得る。
【図面の簡単な説明】
【図１】烏賊釣り用仕掛け（ヤエン）を示した図。
【図２】仕掛け用部材１０を図１の仕掛けに装着した状態を示した図。
【図３】図２の仕掛け用部材１０の拡大図。
【図４】烏賊釣り用仕掛け（ヤエン）の使用態様を示した図。
【図５】本発明の第２実施形態を採用した仕掛け用部材２０を示した図。
【図６】本発明の第３実施形態を採用した仕掛け用部材３０を示した図。
【図７】図６の仕掛け用部材３０の拡大図。
【図８】本発明の第４実施形態を採用した烏賊釣用仕掛け４０を示した図。
【図９】他の実施形態を採用した烏賊釣用仕掛けを示した図。
【符号の説明】
１　線材
２　枝部
３　中間枝部
１０，２０，３０　仕掛け用部材
４０　発光体保持部
５０　錘（発光体保持部）
【図１】
2004129592.tif 000003
【図２】
2004129592.tif 000004
【図３】
2004129592.tif 000005
【図４】
2004129592.tif 000006
【図５】
2004129592.tif 000007
【図６】
2004129592.tif 000008
【図７】
2004129592.tif 000009
【図８】
2004129592.tif 000010
【図９】
2004129592.tif 000011